【事件の表示】
　特許第２８９６８７１号「コンクリート型枠用紙管の閉鎖方法及びそれに用いる粘着シート」の請求項１ないし３に係る特許に対する特許異議の申立てについて、次のとおり決定する。
【結　論】
　訂正を認める。
　特許第２８９６８７１号の請求項１に係る特許を維持する。
【理　由】
１．手続の経緯
　本件特許第２８９６８７１号に係る出願は、平成７年６月２０日の出願であって、平成１１年３月１２日に特許の設定登録がなされ、その後、岡本綾子と植田耕太郎から特許異議の申立がなされ、取消理由通知が通知され、その指定期間内である平成１２年５月２２日に訂正請求がなされたものである。
　
２．訂正の要旨
　訂正事項ａ：特許請求の範囲の減縮を目的として特許請求の範囲の請求項１及び請求項２を削除する。これに伴い、請求項３の請求項番号を繰り上げ、次のように訂正する。
「【請求項１】透明性の合成樹脂フィルム及び／又は織物の片面に透明性の粘着層を設け、且つ粘着層の反対面には貼着可能なコンクリート型枠用紙管の開口部の直径の大きさ又は記号或いは紙管の開口部の実寸図を表示したことを特徴とするコンクリート型枠用紙管の開口部閉鎖用粘着シート。」
　訂正事項ｂ：発明の名称を次のように訂正する。
「コンクリート型枠用紙管の開口部閉鎖用粘着シート」
　訂正事項ｃ：明細書の段落【０００１】の記載を、明りょうでない記載の釈明を目的として、次のように訂正する。
「【０００１】
　【産業上の利用分野】本発明は、コンクリート型枠用紙管の開口部の閉鎖に用いる粘着シートに関する。」
　訂正事項ｄ：明細書の段落【０００４】の記載を、明りょうでない記載の釈明を目的として、次のように訂正する。
「【０００４】
  【発明が解決しようとする課題】本発明は上述の事情に鑑みなされたもので、コンクリート型枠用紙管の開口部を簡単且つ安価に閉鎖するための粘着シートを提供することを目的とする。」
　訂正事項ｅ：明細書の段落【０００５】の記載を、明りょうでない記載の釈明を目的として、次のように訂正する。
「【０００５】
　【発明が解決するための手段】本発明は、透明性の合成樹脂フィルム及び／又は織物の片面に透明性の粘着層を設け、且つ粘着層の反対面には貼着可能なコンクリート型枠用紙管の開口部の直径の大きさ又は記号或いは紙管の開口部の実寸図を表示したことを特徴とするコンクリート型枠用紙管の開口部閉鎖用粘着シートである。」
　訂正事項ｆ：明細書の【図面の簡単な説明】の欄の記載を、明りょうでない記載の釈明を目的として、次のように訂正する。
「【図面の簡単な説明】
　【図１】　本発明の片面粘着テープの断面図
　【図２】　本発明の片面粘着テープの他の例の断面図
　【図３】　本発明の片面粘着テープを用いて閉鎖する一例を示した斜視図」
　
３．訂正の適否
（１）訂正の目的の適否、新規事項の有無及び拡張・変更の存否
　上記訂正事項ａに係る訂正は、特許請求の範囲の減縮に該当し、特許明細書の記載の範囲内のものであり、実質的に特許請求の範囲を拡張又は変更するものではない。
　また、訂正事項ｂ及びｆに係る訂正は、訂正事項ａに関連してなされた明りょうでない記載の釈明に該当し、特許明細書の記載の範囲内のものであり、実質的に特許請求の範囲を拡張又は変更するものではない。
（２）独立特許要件の判断
　訂正明細書の特許請求の範囲の請求項１に記載された事項により特定される発明は、後記する「４．異議の申立てについて」の「（４）対比・判断」で述べるように、特許異議申立の理由では、特許を受けることができないとすることができず、また、他に特許を受けることができない理由を発見できないから、特許出願の際独立して特許を受けることができるものである。
（３）訂正の適否のむすび
　以上のとおりであるから、上記訂正は、特許法等の一部を改正する法律（平成６年法律第１１６号）附則第６条第１項の規定によりなお従前の例によるとされる、特許法第１２０条の４第２項及び第３項でさらに準用する特許法第１２６条第２〜４項の規定に適合するので、当該訂正を認める。
　
４．異議の申立てについて
（１）本件訂正後発明
　訂正明細書の請求項１に係る発明は、訂正明細書の特許請求の範囲の請求項１に記載された、以下の事項により特定されるものである（以下、「訂正後発明」という。）。
「【請求項１】透明性の合成樹脂フィルム及び／又は織物の片面に透明性の粘着層を設け、且つ粘着層の反対面には貼着可能なコンクリート型枠用紙管の開口部の直径の大きさ又は記号或いは紙管の開口部の実寸図を表示したことを特徴とするコンクリート型枠用紙管の開口部閉鎖用粘着シート。」　
（２）特許異議申立ての理由の概要
　申立人岡本綾子は、証拠として甲第１および２号証を提出して、本件請求項１ないし３に係る特許発明は、甲第１および２号証に記載された発明に基づいて、当業者が容易に発明をすることができたものであるから、特許法第２９条第２項の規定により特許を受けることができないものであり、本件の特許を取り消すべきであると主張している。
　また、申立人植田耕太郎は、証拠として甲第１および２号証を提出して、本件請求項１ないし３に係る特許発明は、甲第１および２号証に記載された発明に基づいて、当業者が容易に発明をすることができたものであるから、特許法第２９条第２項の規定により特許を受けることができないものであり、本件の特許を取り消すべきであると主張している。
（３）甲各号証について
　上記申立人岡本綾子の提出した甲第２号証刊行物及び申立人植田耕太郎の提出した甲第１号証刊行物である実願昭６３−５７１０３号（実開平１−１６２５４２号）のマイクロフィルム（以下、「刊行物１」という。）は、本件請求項１および２に係る特許発明に対する取消理由に引用した引用例と同じであり、その実用新案登録請求の範囲、第３頁第３〜最下行、第７頁第１〜３行、同第１１、１２行、第８頁第９〜１６行及び第１、２図の記載を参照すると、「スリーブの直径とほぼ一致する直径の円板部と、円板部の周縁に形成した環状の起立部と、起立部の端縁に沿って形成した複数の舌片とを一体に形成した、可撓性のプラスチック材料からなる薄板材の舌片の内面側に粘着面を形成し、起立部と舌片をガイドとしてスリーブの開口端の上に位置決めして被せる、コンクリート型枠用紙筒等によるスリーブの開口端封止具」が記載されていると認められる。
　申立人岡本綾子の提出した甲第１号証刊行物である実願平２−９８６５３号（実開平４−５５９５４号）のマイクロフィルム（以下、「刊行物２」という。）には、その実用新案登録請求の範囲に、「紙管の底蓋の底部（１）に紙管挿入のための筒状部（２）を有し、筒状部（２）に紙管の挿入を容易にするためのテーパー部（３）と紙管の公差があっても完全固定が出来る様に釘穴（７）の構造体から成る紙管の底蓋。」が記載されている。
　申立人植田耕太郎の提出した甲第２号証刊行物である特開平６−１４３４８１号公報（以下、「刊行物３」という。）には、第２頁右欄第２３行〜第３頁左欄第１４行の記載を参照すると、「透明保護フィルム（Ａ）と画像が印刷されたフィルムとを貼り合わせる透明粘着層（１）を片面に有し、他方の面が離型処理された透明保護フィルム（Ａ）の他方の面に、透明保護フィルム（Ａ）と透明フィルム（Ｂ）とを貼り合わせる透明粘着層（２）を介して、模様合わせの便宜のための、たとえば横方向に等間隔の線、縦方向に等間隔の線、これらを組み合わせた格子模様などの位置ぎめマークが印刷等により付された、ポリエステルフィルム、ポリエチレンフィルム、塩化ビニールフィルム等の透明フィルム（Ｂ）を配した、画像が印刷されたフィルムを壁面等に貼る際に、または画像が印刷されたフィルムと画像が印刷されたフィルムを貼り合わせて模様がずれないようにして現場で容易に貼り付け作業を行うことができ、かつ画像が印刷されたフィルムの紫外線劣化、あるいは表面の汚れを防止する、透明な保護フィルム（Ａ）を簡便容易に貼るための張り合わせ用保護シート」が記載されていると認められる。
（４）対比・判断　
　本件訂正後発明と、刊行物１に記載された発明とを比較すると、刊行物１に記載された発明の「スリーブの直径とほぼ一致する直径の円板部と、円板部の周縁に形成した環状の起立部と、起立部の端縁に沿って形成した複数の舌片とを一体に形成した、可撓性のプラスチック材料からなる薄板材」、「舌片の内面側の粘着面」及び「コンクリート型枠用紙筒等によるスリーブの開口端封止具」は、それぞれの機能に照らし、各々、本件訂正後発明の「合成樹脂フィルム」、「合成樹脂フィルムの片面の粘着層」及び「コンクリート型枠用紙管の開口部閉鎖用粘着シート」に対応し、刊行物１に記載された発明の「起立部と舌片をガイドとしてスリーブの開口端の上に位置決めして被せる」ことは、本件訂正後発明の「透明性の合成樹脂フィルム及び／又は織物」、「透明性の粘着層」および「コンクリート型枠用紙管の開口部の直径の大きさ又は記号或いは紙管の開口部の実寸図を表示したこと」と、位置合わせ手段として共通しているから、両者は、合成樹脂フィルムの片面に粘着層を設け、位置合わせ手段を有するコンクリート型枠用紙管の開口部閉鎖用粘着シートの点で一致し、下記の点で相違する。
ａ．本件訂正後発明では、合成樹脂フィルム及び／又は織物を透明性とし、透明性の粘着層を設け、これらの構成に加えて、透明性の合成樹脂フィルム及び／又は織物にコンクリート型枠用紙管の開口部の直径の大きさ又は記号或いは紙管の開口部の実寸図を表示という、位置合わせ手段を施しているのに対し、刊行物１に記載された発明では、薄板材および粘着面の透明性に関する記載はなく、また、位置合わせ手段としては、薄板材にガイドとなる起立部と舌片を設けている点。
　一方、刊行物２には、コンクリート型枠用紙管の開口部閉鎖用底蓋は記載されているが、上記相違点ａにおける本件訂正後発明の構成に対応する事項は記載されておらず、示唆する記載もない。
　また、刊行物３には、「透明粘着層（２）を介して、模様合わせの便宜のための、たとえば横方向に等間隔の線、縦方向に等間隔の線、これらを組み合わせた格子模様などの位置ぎめマークが印刷等により付された、ポリエステルフィルム、ポリエチレンフィルム、塩化ビニールフィルム等の透明フィルム（Ｂ）を配した、張り合わせ用保護シート」が記載されており、これは、上記相違点ａにおける、本件訂正後発明の構成にやや近いものであるが、刊行物３に記載された「張り合わせ用保護シート」は、画像が印刷されたフィルムを壁面等に貼る際に、または画像が印刷されたフィルムと画像が印刷されたフィルムを貼り合わせて模様がずれないようにして現場で容易に貼り付け作業を行うことができ、かつ画像が印刷されたフィルムの紫外線劣化、あるいは表面の汚れを防止する、透明な保護フィルム（Ａ）を簡便容易に貼るためのものであり、刊行物１に記載された発明とは、産業上の利用分野が異なり、刊行物１に記載された発明と組み合わせる合理的な理由がない。
　そして、本件訂正後発明は、当該事項によって明細書記載の作用効果を奏するものであり、本件訂正後発明が上記刊行物１ないし３に記載された発明に基いて当業者が容易に発明をすることができたものとはいえない。
　
５．むすび
　以上のとおりであるから、異議申立ての理由及び証拠によっては、本件訂正後発明の特許を取り消すことはできない。
　また、他に本件訂正後発明の特許を取り消すべき理由を発見しない。
　よって、結論のとおり決定する。
【異議決定日】
平成１２年６月１９日（２０００．６．１９）
【訂正の要旨】
訂正の要旨
　特許第２８９６８７１号の明細書を、下記のとおり訂正する。
　訂正事項ａ：特許請求の範囲の減縮を目的として特許請求の範囲の請求項１及び請求項２を削除する。これに伴い、請求項３の請求項番号を繰り上げ、次のように訂正する。
「【請求項１】透明性の合成樹脂フィルム及び／又は織物の片面に透明性の粘着層を設け、且つ粘着層の反対面には貼着可能なコンクリート型枠用紙管の開口部の直径の大きさ又は記号或いは紙管の開口部の実寸図を表示したことを特徴とするコンクリート型枠用紙管の開口部閉鎖用粘着シート。」
　訂正事項ｂ：発明の名称を次のように訂正する。
「コンクリート型枠用紙管の開口部閉鎖用粘着シート」
　訂正事項ｃ：明細書の段落【０００１】の記載を、明りょうでない記載の釈明を目的として、次のように訂正する。
「【０００１】
　【産業上の利用分野】本発明は、コンクリート型枠用紙管の開口部の閉鎖に用いる粘着シートに関する。」
　訂正事項ｄ：明細書の段落【０００４】の記載を、明りょうでない記載の釈明を目的として、次のように訂正する。
「【０００４】
　【発明が解決しようとする課題】本発明は上述の事情に鑑みなされたもので、コンクリート型枠用紙管の開口部を簡単且つ安価に閉鎖するための粘着シートを提供することを目的とする。」
　訂正事項ｅ：明細書の段落【０００５】の記載を、明りょうでない記載の釈明を目的として、次のように訂正する。
「【０００５】
　【発明が解決するための手段】本発明は、透明性の合成樹脂フィルム及び／又は織物の片面に透明性の粘着層を設け、且つ粘着層の反対面には貼着可能なコンクリート型枠用紙管の開口部の直径の大きさ又は記号或いは紙管の開口部の実寸図を表示したことを特徴とするコンクリート型枠用紙管の開口部閉鎖用粘着シートである。」
　訂正事項ｆ：明細書の【図面の簡単な説明】の欄の記載を、明りょうでない記載の釈明を目的として、次のように訂正する。
「【図面の簡単な説明】
　【図１】本発明の片面粘着テープの断面図
　【図２】本発明の片面粘着テープの他の例の断面図
　【図３】本発明の片面粘着テープを用いて閉鎖する一例を示した斜視図」
（５４）【発明の名称】
コンクリート型枠用紙管の開口部閉鎖用粘着シート
（５７）【特許請求の範囲】
　【請求項１】透明性の合成樹脂フィルム及び／又は織物の片面に透明性の粘着層を設け、且つ粘着層の反対面には貼着可能なコンクリート型枠用紙管の開口部の直径の大きさ又は記号或いは紙管の開口部の実寸図を表示したことを特徴とするコンクリート型枠用紙管の開口部閉鎖用粘着シート。
【発明の詳細な説明】
　【０００１】
　【産業上の利用分野】
　本発明は、コンクリート型枠用紙管の開口部の閉鎖に用いる粘着シートに関する。
　【０００２】
　【従来の技術】
　筒状の空間を設けたコンクリート構造物は、例えばガードレールの支柱をはめ込む土台など種々の分野で利用されている。筒状の空間を配設したコンクリートをつくるには、従来から型枠として紙管が利用されている。すなわち、例えばガードレールの支柱をはめ込むための筒状の穴を設けたコンクリート製土台の製造について説明すると、路肩の地面に所定の大きさの穴を掘り、この穴の底に所定の厚さにコンクリートを流し込み、その上の所定位置に紙管を直立させ、次いで更にコンクリートを流し込み、コンクリートで紙管の周囲を充填する。コンクリートが固化した後に紙管を破いて取り除く。かくしてガードレールの支柱を差し込むための筒状の空間がコンクリート構造物に形成される。
　【０００３】
　この工法においては、穴の底に所定の厚さにコンクリートを流し込み、その上の所定位置に紙管を直立させる際に、紙管内にその底開口部からコンクリートが流入して来る支障があり、また紙管を直立させその周りにコンクリートを流し込む際にも、紙管の底開口部からコンクリートが流入したり、紙管の上方の開口部からコンクリートが紙管内に入り込む不都合が生じる。この問題点を解消するため、紙管の上方開口部及び底開口部を閉鎖する手段が採用されている。この閉鎖には、紙管の上方の開口部及び底の開口部を押しつぶして閉鎖したり、あるいは、紙管の各開口部に、これと合致する挿し込み形式の上蓋及び底蓋を被せて閉鎖する手段が採られている。しかし、これらの方法は、開口部の閉鎖が不完全であったり、閉鎖にコストがかがったり、手間がかがったりする問題点がある。
　【０００４】
　【発明が解決しようとする課題】
　本発明は上述の事情に鑑みなされたもので、コンクリート型枠用紙管の開口部を簡単且つ安価に閉鎖するための粘着シートを提供することを目的とする。　
　【０００５】
　【課題を解決するための手段】
　本発明は、透明性の合成樹脂フィルム及び／又は織物の片面に透明性の粘着層を設け、且つ粘着層の反対面には貼着可能なコンクリート型枠用紙管の開口部の直径の大きさ又は記号或いは紙管の開口部の実寸図を表示したことを特徴とするコンクリート型枠用紙管の開口部閉鎖用粘着シートである。
　【０００６】
　本発明について更に詳しく説明する。コンクリート型枠用紙管は従来既知のものである。この紙管はボール紙を管状に成形したもので、例えば所定の幅のボール紙を、所定の直径で所定の長さに螺旋状に捲回し、その重なり部を接着して製造する。この紙管は、コンクリートに施設する筒状の穴の大きさ、すなわち穴の直径及び深さに応じて種々の大きさのものがある。またこの紙管は四角柱などの角柱でもよい。
　【０００７】
　次に本発明で用いる片面粘着シートについて説明する。本発明の片面粘着シートは透明性である。透明性にするには、基材及び接着剤に透明性の高いものを使用する。本発明の片面粘着シートは、テープ状の長尺のものであってもよい。この基材には合成樹脂フィルム及び／又は織物を用いる。合成樹脂フィルムとしては、ポリエチレンフィルム、ポリプロピレンフィルム、ポリエステルフィルム、ポリ塩化ビニルフィルム、エチレン−酢酸ビニル共重合体フィルムなどが用いられる。また織物としてはポリエチレン織物、ポリエステル織物、ビニロン織物なが用いられる。基材にこれらの合成樹脂フィルムと織物との積層物を用いてもよい。そして、この基材は、テープ状の長尺の場合は、テープの横方向（長手方向に対する直角方向）に切断しやすい構成にするのが好ましい。このように横方向に切断しやすくするには、合成樹脂フィルムの場合は、テープの横方向に合成樹脂フィルムの延伸方向が来るように配置するとよい。また織物の場合は、テープの長手方向の糸の強度をテープの横方向の糸の強度より低くするとよい。このようにすると、作業現場においてテープを手で容易に横方向に切断できるので作業能率を高めることができる。
　【０００８】
　この基材の合成樹脂フィルム又は織物には、該基材から製造した製品（粘着シート）の大きさ、すなわち縦及び横の長さ、テープ状のものは幅の長さに対応して、その製品が貼着使用可能な紙管の開口部の直径の大きさ又は記号或いは紙管の開口部の実寸図を印刷などにより表示する。そして、この基材に透明性の粘着剤を塗布する。基材に織物を使用する場合は、合成樹脂フィルムに印刷などで表示し、この表示面を織物と接着させると、表示面が露出しないので堅固になる。この場合は織物面に粘着剤を塗布する。また合成樹脂フィルムや織物を基材にする場合は、印刷などによる表示面に粘着剤を塗布すると、表示面が露出しないので堅固になる。勿論、表示面と反対面に粘着剤を塗布してもよい。粘着剤としては、天然又は合成ゴム系の粘着剤、アクリル系粘着剤、ポリウレタン系粘着剤が用いられるが、特にアクリル系粘着剤が好ましい。そして、粘着剤層面を、パラフィン系離型剤やシリコーン樹脂系離型剤を塗布した紙又は合成樹脂フィルム、いわゆる離型紙で被覆して製品にする。また、粘着シートがテープ状の場合は、基材の印刷面にパラフィン系離型剤やシリコーン樹脂系離型剤を塗布して捲回して製品にする。
　【０００９】
　図１及び図２に、本発明のコンクリート型枠用紙管の開口部閉鎖用粘着シートの例を示す。図１はいわゆるセパレート方式の本発明の開口部閉鎖用粘着シートの断面図で、１は厚さ５０μｍのポリエチレンフィルムである。２はポリエステル織物である。３はアクリル系粘着剤で、３００ｇ／ｃｍ２（乾燥時）の割合で塗布されている。４と５でいわゆる離型紙を構成し、４はシリコーン樹脂系離型剤、５は厚さ１００μｍのポリエチレンフイルムである。６は印刷部である。使用時には、離型紙を粘着剤層面から剥離して、粘着剤層を露出させる。図１には、この露出させる過程を示した。図２はテープ状の本発明の開口部閉鎖用粘着シートの断面図である。１は厚さ５０μｍのポリエチレンフィルムである。２はポリエステル織物である。３はアクリル系粘着剤で、３００ｇ／ｃｍ２（乾燥時）の割合で塗布されている。６は印刷部である。７はパラフィン系離型剤層である。このテープ状の場合は、捲回して製品とする。そして使用時に、紙管の開口部の大きさに応じて切断して、使用する。
　【００１０】
　本発明の片面粘着シートでコンクリート型枠用紙管の開口部を閉鎖するには、片面粘着シートを、所望の大きさに切断するか、或いは切断することなく、粘着剤層面を紙管側にして紙管の開口部に当てがい、その後開口部からはみでたシートの部分を折り曲げて紙管の側面に貼着し固定する。この開口部からはみ出させる部分の長さは５〜２０ｍｍ程度がよい。かくの如く、片面粘着シートは、対象とする紙管の開口部の直径に応じた大きさを持つものである。例えば、直径１２０ｍｍの紙管のときには、１５０ｍｍ四方の片面粘着シートを用いる。本発明では、片面粘着シートの粘着剤層面と反対面に、この粘着シートは直径何ｍｍ用のものである旨、又はその記号或いは紙管の開口部の実寸図を印刷などによって表示したので、使用のとき大変便利である。
　【００１１】
　図３は、紙管８に本発明の片面粘着シート１０を貼着する際の操作を示す斜視図である。１１は紙管の開口部の実寸図を表示した印刷部、１２は該片面粘着シート１０が適合する紙管の直径を表示した印刷部である。紙管８の開口部９の直径に適合する片面粘着シート１０を選び、その粘着面を露出させ、該片面粘着シート１０の透明性を利用して、その開口部の実寸図を表示した印刷部１１を紙管の開口部９に当てがい接着させ、次いで開口部からはみでた部分を下方に折り曲げ、開口部周辺に接着して開口部を閉鎖する。このように本発明の片面粘着シートは透明性であるため、粘着シートを開口部に当てがう際、粘着シートを通して開口部が確認できるので、位置合わせ容易で操作がしゃすく、貼着を失敗する恐れがない。
　【００１２】
　【発明の効果】
　本発明によると、コンクリート型枠用紙管の開口部を簡単且つ安価に閉鎖することができる。また片面粘着シートを透明にしたので、該テープを紙管へ貼着するときの位置合わせが容易である。更に、片面粘着シートに、その粘着シートで閉鎖可能な紙筒の開口部の大きさや記号を表示したので、使用に便利である。
【図面の簡単な説明】
　【図１】　本発明の片面粘着テープの断面図
　【図２】　本発明の片面粘着テープの他の例の断面図
　【図３】　本発明の片面粘着テープを用いて閉鎖する一例を示した斜視図
　【符号の説明】
　１　ポリエチレンフィルム、２　ポリエステル織物、３　粘着剤、４　離型剤、５　ポリエチレンフィルム、６　印刷部、７　離型剤、８　紙管、９　開口部、１０　片面粘着テープ、１１　紙管の開口部の実寸図の印刷部、１２　紙管の開口部の大きさの印刷部